(57)【要約】【課題】暖房時に扇風機の併用は省エネ効果が高いことが知られている。特に扇風機の風を真上に送風すると効果がある。しかし、一般的な扇風機の送風機部を真上に向けることができないため、暖気と寒気の撹拌が不十分な空間が生じ、また、寒気を送風する方向と人の導線が交差する課題がある。扇風機を寝かせ風を真上に吹く方法があるが、不安定であり見栄えもよくない。【解決手段】扇風機の基台の一部を支点に送風が真上を向くまで扇風機を傾け、その状態を安全に保持するための保持具により、安定し見栄えもよくすることができる。【選択図】図３
2014134127.tif 000002
【特許請求の範囲】
【請求項１】
扇風機保持具であって、
送風方向が水平面と略直交する上方向となる状態に扇風機の送風機部を保持し、
該扇風機の基台の一部と該扇風機保持具によって、
想定される外力に対し扇風機が転倒しないことを特徴とする扇風機保持具。
【請求項２】
前記扇風機保持具は、
前記扇風機の前記送風機部の重量を受ける送風機部保持部位と
該重量を扇風機外へ伝達するベース部位と
該送風機部保持部位が受ける力を該ベース部位へ伝達する連結部位とで構成されることを特徴とする請求項１に記載の扇風機保持具。
【請求項３】
前記ベース部位は、
前記扇風機と前記扇風機保持具が想定される外力によって発生する転倒モーメントより大きい抵抗モーメントを有することを特徴とする請求項２に記載の扇風機保持具。
【請求項４】
前記送風機部保持部位は、
前記送風機部の気流への影響が小さい形状であるか、若しくは、前記送風機部の気流への影響が小さく及び前記送風機部のモーターの冷却のための気流への影響が小さい形状であって、
扇風機の種類の違い毎に送風機部が異なる形状であっても、若しくは、異なる大きさであっても、若しくは、異なる形状及び異なる大きさであっても、それらの送風機部が設置できるように調整する機能を有することを特徴とする請求項２又は請求項３に記載の扇風機保持具。
【請求項５】
前記連結部位は、
前記送風機部の気流への影響が小さい形状であるか、若しくは、前記送風機部の気流への影響及び前記送風機部のモーターの冷却のための気流への影響が小さい形状であって、
扇風機の種類の違い毎に送風機部が異なる高さであっても、前記送風機部が設置できるように調整する機能を有することを特徴とする請求項２〜４いずれか１項記載の扇風機保持具。
【請求項６】
前記ベース部位は、前記扇風機が異なる形状、若しくは、異なる大きさ、若しくは、異なる形状及び異なる大きさであっても、必要とする抵抗モーメントを発生させることができる機能を有することを特徴とする請求項２〜５いずれか１項記載の扇風機保持具。
【発明の詳細な説明】
【技術分野】
【０００１】
本発明は扇風機の送風機部の送風方向を真上にするために扇風機を傾けた時に、扇風機が転倒しないように扇風機の送風機部を保持するための保持具。
【背景技術】
【０００２】
扇風機のヘッド部の仰角度を９０度にした時の転倒防止具の提案はされている。（特許文献１）この文献は、扇風機が転倒防止具を具備し、仰角度と連動し転倒防止具が機能するものである。
【先行技術文献】
【特許文献】
【０００３】
【特許文献１】特開２０１２−２０２３４３（Ｐ２０１２−２０２３４３Ａ）
【発明の概要】
【発明が解決しようとする課題】
【０００４】
一般的な居室内で、暖房時に扇風機の併用は省エネ効果が高いことが知られている。特に図１に示すように扇風機の風を真上に吹くと効果がある。しかし、図２に示すように一般的な扇風機の送風機部を真上にすることができない。
斜め上方向に送風すると、暖気と冷気の撹拌が不十分な所があり、また、冷気の送風方向と人の導線が交差し、人に不快感を与える課題がある。
【０００５】
しかし、扇風機を仰向けに寝かせて使用する方法は、不安定で見栄えもよくない。そこで、扇風機の基台の一部を支点にして送風方向が真上を向くまで扇風機を傾けた時にその状態を安全に保持することを目的とする。
【課題を解決するための手段】
【０００６】
請求項１は、発明の保持具を使う方法とその目的を示している。扇風機の基台１０３の一部分を支点にして扇風機を傾斜させる。送風方向が真上に向かう位置の送風機部１０１に、この保持具を設置して扇風機をこの状態に保持し、扇風機の基台１０３の一部と本保持具により地震力等の想定する外力に対し転倒しないことを、特徴としている。
【０００７】
請求項２は、発明の保持具の部位構成を示している。本保持具は、送風機部１０１を保持する送風機部保持部位１１と、送風機部から受ける重量等の力を床面等へ伝達するベース部位１３と、送風機保持部位１１とベース部位１３を連結する連結部位１２とで構成されていることを、特徴としている。
【０００８】
請求項３は、扇風機と保持具が、地震力等の想定される水平方向の外力による転倒モーメントに対して、転倒しないようにベース部位１３が必要な抵抗モーメントを保有することを示している。
【０００９】
請求項４は、送風機保持部位１１が送風機部１０１への気流の障害とならないように、また、送風機部１０１への気流が滞りモーターが過熱することのないように、それらへの影響をできるだけ小さくするために配慮された形状であることを示している。
また、扇風機の種類により大きさや形状が異なる送風機部１０１を適切に保持できるように、送風機部保持部位１１の一部がその長さや形状を調整する機能をもつことを、特徴としている。
【００１０】
請求項５は、扇風機の大きさ、特に高さが異なる場合の対応方法が示されている。扇風機の異なる高さの機種に対応できるように連結部位１２は高さを調整する機能をもつことを、特徴としている。
【００１１】
請求項６は、ベース部位１３の抵抗モーメントを調整する機能を持つことを示している。請求項３に示した保持具に保持された扇風機が転倒しないようにするための抵抗モーメントは、扇風機の大きさ、形状、重さにより異なる。ベース部位１３がそれらの違いに合わせて抵抗モーメントを調整する機能を持つことを、特徴としている。
【発明の効果】
【００１２】
従来の扇風機の仰角度を最大にしてサーキュレータとして使う場合の課題は、送風が真上を向かないため、送風による気流と人の導線が重なり人へ不快感を与えることであり、また、部屋内の暖気と寒気の撹拌が不十分な部分ができることである。
扇風機を寝かせる方法があるが、不安定で、見た目が悪い。また、ファンモーターの空気取り入れ口が床で塞がれることもありモーターが過熱する可能性が高い。
この発明により、送風が真上を向き、安定し、見た目も良くなり、モーターの過熱もなく課題を解消できる、
【図面の簡単な説明】
【００１３】
【図１】暖房時に真上に送風した時の居室内の空気の流れの概念図
【図２】暖房時に仰角度４５度に送風をした時の居室内の空気の流れの概念図
【図３】本発明の保持具を扇風機に設置した時の側面図
【図４】本発明の保持具を扇風機に設置した時の正面図
【図５】本発明の保持具を扇風機に設置した時の等角図
【図６】本発明の保持具の側面図
【図７】本発明の保持具の等角図
【図８】本発明の保持具の送風機保持部位と連結部位の長さ調整機能部を伸ばした時の側面図
【図９】本発明の保持具の送風機保持部位と連結部位の長さ調整機能部を伸ばした時の等角図
【発明を実施するための形態】
【００１４】
以下、本発明に係る保持具の好ましい実施形態を、添付図面に基づいて説明する。
【実施例】
【００１５】
図３〜図５は、本発明の保持具１０の実施例を扇風機１００に設置した図である。扇風機の基台１０３の一部を支点に傾け、送風方向が真上になった位置で、扇風機の送風機部に保持具１０を設置した側面図、正面図、等角図である。
【００１６】
送風機部保持部位１１は送風機部１０１の空気の流れを極力妨げないために、また、送風機部のモーターに空気が流れ込むように、空気抵抗を少なくするために３本のフレームで構成されている。
フレーム本数は４本以上あってもよい。また、空気の流れを阻害しない部品としてメッシュ構造、格子構造等にするものよい。
【００１７】
扇風機の種類により、送風機部形状や大きさが異なる。様々な種類に対応できるように、送風機部保持部位１１には長さ調整機能部２１が具備されている。実施例では扇風機支柱部１０２側にある送風機部保持部位１１のフレームには調整機能がなく、扇風機支柱部１０２の反対側にあるフレームに長さ調整機能が具備されている。実施例では調整機能部２１はネジ式であるが、弾性体によって送風機部を挟みこむ方法も可能である。
図８、図９は、送風機部保持部位１１に具備されている長さ調整機能部２１を長くした状態が示されている。
ベース部位の長さ調整機能は、ベース部位の中心から扇風機の位置と反対方向に長さ調整ができるようになっている。
【００１８】
ベース部位１３は、地震力等の想定される外力により生じる転倒モーメントより大きな抵抗モーメントを持つように設定できる。
実施例では扇風機基台１０３と反対側の方向にベース部位のフレームを伸ばすことにより、真上から見たベース部位１３の床へ接する４点を頂点とする四角形の面積を大きくすることにより、送風機部１０１の重心位置とベース部位の四角形の中心位置を一致させることができ、必要な抵抗モーメントを確保できる。
本実施例では、ベース部位の長さ調整機能２３の２か所を調整し、見かけ上の四角形の面積を大きくしている。
【００１９】
抵抗モーメントを大きくする方法として、転倒モーメントの大きくなった時、ベース部位１３の真上から見た見付け面積を大きくする方法の他に、重量を大きくする方法、見付け面積を大きくし重量を重くすることの併用方法にすることもできる。
【００２０】
ベース部位１３は、実施例で示す４点支持だけでなく、３点支持以上であってもよい。また、必要な抵抗モーメントが確保できるのであれば、床に設置する部分が面状、線状、それらの組み合わせであってもよい。
またベース部位１３は、扇風機の種類が異なる時に、必要な抵抗モーメントが確保できるように他のベース部位に取り換えるようになっていてもよい。
【００２１】
実施例では、連結部位１２は、気流への影響を小さくするために一本の棒状部材となっている。格子構造、フレーム構造、穴あきの面構造、それらの組み合わせの構造であってもよい。
また、連結部位１２には、扇風機の高さが異なる場合に対応するために、長さ調整機能２２が具備されている。
図８、図９は、長さ調整機能を調整し、連結部位１２を長くした状態を示す。
【００２２】
同じ重量の送風機部１０１であっても、連結部位１２が長くなると転倒モーメントが大きくなる。そのために、必要とされる抵抗モーメントも大きくなる。
送風機部１０１の重量と、連結部位１２の長さと、ベース部位１３の抵抗モーメントの３要素は数学的な関係性がある。想定される転倒モーメントに対し安全であるように３要素の長さ調整機能の数値を一覧にまとめ、多様な扇風機の種類に対応できるようにすることもできる。
【符号の説明】
【００２３】
１０      本発明の保持具
１１      本発明の保持具の送風機部保持部位
１２      本発明の保持具の連結部位
１３      本発明の保持具のベース部位
２１      本発明の保持具の送風機部保持部位の長さ調整機能部
２２      本発明の保持具の連結部位の長さ調整機能部
２３      本発明の保持具のベース部位の長さ調整機能部
１００    扇風機
１０１    扇風機の送風機部
１０２    扇風機の支柱部
１０３    扇風機の基台部
【図１】
2014134127.tif 000003
【図２】
2014134127.tif 000004
【図３】
2014134127.tif 000005
【図４】
2014134127.tif 000006
【図５】
2014134127.tif 000007
【図６】
2014134127.tif 000008
【図７】
2014134127.tif 000009
【図８】
2014134127.tif 000010
【図９】
2014134127.tif 000011